(57)【要約】【課題】  汚染された環境下でパソコン用マウスを使用する際に、当該マウスを汚染から隔離するマウスカバーの提供。【解決手段】  パソコン用マウスを挿入可能な開口部を有する否浸透性の柔軟素材による袋体に、当該開口部の閉鎖手段を設ける。当該、否浸透性柔軟素材による袋体に小袋状又はひだ状のたわみを設ける。当該袋体内下部に、マウスを滑動させるための滑動用の滑動板を配する。【選択図】図１
2016224891.tif 000002
【特許請求の範囲】
【請求項１】
ゴムや合成樹脂などによる否浸透性の柔軟性薄膜で構成された袋体であって、パソコン用マウスを出し入れするための開口部を有し、かつ、開口部の閉鎖手段を有するパソコン用マウスカバー。
【請求項２】
前記、閉鎖手段が、前記袋体のマウス収納部と前記袋体の開口部との間を引き延ばして首部を形成し、当該首部を、結びこぶを作って閉鎖できるだけの長さとしたことを特徴とする請求項１に記載されたパソコン用マウスカバー。
【請求項３】
前記、閉鎖手段が、前記袋体の前記開口部付近の袋体内面に粘着物を配することで、前記パソコン用マウスを前記袋体の収納部に装着後、前記袋体の開口部付近を扁平に延ばして対向する前記袋体の開口部付近の袋体内面どうしを接着可能としたものであることを特徴とする請求項１に記載されたパソコン用マウスカバー
【請求項４】
前記、閉鎖手段が、前記袋体の前記開口部に密閉性のファスナーを設けたことを特徴とする請求項１に記載されたパソコン用マウスカバー
【請求項５】
前記袋体の全面、又は前記袋体の一定部分を構成する柔軟性薄膜が、当該袋体の内側あるいは外側に向かって小袋状に突出するか、蛇腹式の折り目を有することで当該袋体にたわみ部を形成したことを特徴とする請求項１、又は請求項２、又は請求項３、又は請求項４に記載されたパソコン用マウスカバー。
【請求項６】
前記袋体内部の下部に板状体を配してマウス滑動用の滑動板とし、当該袋体内部に配した前記パソコン用マウスを、前記滑動板上を前後左右に滑動できるようにしたことを特徴とする請求項１、又は請求項２、又は請求項３、又は請求項４、又は請求項５に記載されたパソコン用マウスカバー。
【請求項７】
前記、ゴムや合成樹脂などによる否浸透性の柔軟性薄膜で構成された袋体の一定部分を、前記マウス滑動用の滑動板と置き換えて境界部分を接合することや、当該柔軟性薄膜で構成された袋体の一定部分の厚みを増すことや、当該袋体の一定部分を熱処理又は化学的処理によってその柔軟の度合いを弱めるなど、マウスの滑動容易な素材に置き換えたを特徴とする請求項６に記載されたパソコン用マウスカバー。
【請求項８】
前記袋体の内部に、前記袋体と前記袋体内のパソコン用マウスとを、一定の間隔を保って配すための間隔保持材を配したことを特徴とする請求項１、又は請求項２、又は請求項３、又は請求項４、又は請求項５、又は請求項６、又は請求項７に記載されたパソコン用マウスカバー。
【請求項９】
前記袋体の全体、又は前記袋状体の開口部付近を多重にし、複数回の開口作業によって、内部のパソコン用マウスを取り出し可能としたことを特徴とする請求項１、又は請求項２、又は請求項３、又は請求項４、又は請求項５、又は請求項６、又は請求項７、又は請求項８に記載されたパソコン用マウスカバー。
【発明の詳細な説明】
【技術分野】
【０００１】  本発明は、パソコン用マウスを汚染された環境下で使用する際の、汚染防止用マウスカバーに関するものである。
【技術背景】
【０００２】  現代では様々な作業や研究の場において、その進展状況や経過をパソコンに入力して記禄をとる必要に迫られる場面が増えてきたが、その入力作業の場が、汚染を避けられない場合も少なくない。例えば手術時における記録に際しては、入力時に手が血液によって汚れていることが多く、また、感染症の診療に当たっては病原菌によって周囲の環境が汚染されていて、パソコンを隔離したい場合が生じる。
【０００３】  特にパソコン用マウスは、部位の特定や、選択肢からの選択など、多用される傾向にあるため、パソコン用マウスを前記、手の汚れや汚染された環境から隔離したい場面が生じる。しかし、これまで、パソコン用マウスを周囲からの隔離するための用具が存在しなかった。コードレスのマウスを使用し、これをゴム状の袋に入れて使用できれば良いのであるが、カーソールを移動させる手段として、マウスから発する光の反射を読みとる方式の場合、当該光が前記袋に反射してしまい、マウスの動きを読み取ることができないという問題があった。
【０００４】  水枕や氷嚢のように、ゴム状の袋にものを入れて生活の用に供することは日常的に行われてきた。しかし、ゴム状の袋に機器類を入れて外界と隔離し、ゴム袋の外から内部の機器を手で操作するということは行われてこなかった。ゴム状の袋にパソコン用マウスを装入して外部からこれを操作し、作業終了後にゴム袋を洗浄、消毒、又は廃棄することでパソコン用マウスの汚染を防ぐことはなされてこなかった。
【０００５】  参考文献１の実願平４−８８９４０号に記載された考案は「スイッチ部を手操作して信号を発生し、この信号をパソコンに出力するパソコン入力装置において、少なくとも前記スイッチ部の外側を柔軟性材料により被ったことを特徴とするパソコン入力装置。」であり、本願発明と同様に柔軟なカバーと下部に基盤を設けル構造でありながら、その目的が異なるため、カバーが袋体でなく、外部との隔離ができない構造となっている。
基盤と内部カバーが一体化しており、従来のマウスの底部を延長して柔軟性カバーを支える構成となっており、当該基板はマウスの一部であるため、外部とマウスを隔離する役割を持ち得ない。
【０００６】  参考文献２の特開２００４−１７３８９０号に記載された発明は「ゴム状素材による筒を傘袋とし、傘袋の先端部に石突きへの取り付け部を設け、前記傘袋の胴部には巻き取りを容易にするための多数箇所にたるみあるいは太さ方向に拡張可能な蛇腹式の折り目を配し、前記傘袋の先端近くに傘袋の長手方向とほぼ直角をなして傘袋をほぼ一周する輪としての肉厚部あるいはゴム状素材による紐を配すことで、前記筒をドーナツ状に巻き取って前記傘袋の先端に向かう過程において前記巻き取りに抵抗を与え、逆転してほどけることを防ぐ構成とした洋傘カバー。」であって、前記「多数箇所にたるみあるいは太さ方向に拡張可能な蛇腹式の折り目」がゴム状の袋を伸びやすくするものとして記載されている。
【０００７】  この袋に設けた「多数箇所にたるみあるいは太さ方向に拡張可能な蛇腹式の折り目」は、袋を伸びやすくする効果を有するものの、「傘袋の先端部に石突きへの取り付け部を設け」てあるため、汚染物質の侵入を防げない。
【先行技術文献】
【特許文献】
【０００８】
【特許文献１】  特開平０６−０５６８３１号
【０００９】
【特許文献２】  特開２００４−１７３８９０号
【発明の概要】
【発明が解決しようとする課題】
【０００１０】  埃や油脂分、又は手術中の血液、又は、微生物などの汚染物質が人体に付着又は周囲に拡散された環境下において、パソコン用の入力装置であるマウスを、人体の汚れ又は周囲の環境から隔離し、当該環境下での使用によって、当該汚れを前記マウスに付着させないようにするためのマウスカバーを提供すること。
【課題を解決するための手段】
【０００１１】  ゴムや合成樹脂などによる否浸透性の柔軟性薄膜で構成された袋体であって、パソコン用マウスを出し入れするための開口部を有し、かつ、開口部の閉鎖手段を有するパソコン用マウスカバーを供する。【００１２】  前記、閉鎖手段が、前記袋体のマウス収納部と前記袋体の開口部との間を引き延ばして首部を形成し、当該首部を、結びこぶを作って閉鎖できるだけの長さとしたことを特徴とするパソコン用マウスカバーを供する。【００１３】  前記、閉鎖手段が、前記袋体の前記開口部付近の袋体内面に粘着物を配することで、前記パソコン用マウスを前記袋体の収納部に装着後、前記袋体の開口部付近を扁平に延ばして対向する前記袋体の開口部付近の袋体内面どうしを接着可能としたものであることを特徴とするパソコン用マウスカバーを供する。【００１４】  前記、閉鎖手段が、前記袋体の前記開口部に密閉性のファスナーを設けたことを特徴とするパソコン用マウスカバーを供する。【００１５】  前記袋体の全面、又は前記袋体の一定部分を構成する柔軟性薄膜が、当該袋体の内側あるいは外側に向かって小袋状に突出するか、蛇腹式の折り目を有することで当該袋体にたわみ部を形成したことを特徴とするパソコン用マウスカバーを供する。【００１６】    前記袋体内部の下部に板状体を配してマウス滑動用の滑動板とし、当該袋体内部に配した前記パソコン用マウスを、前記滑動板上を前後左右に滑動できるようにしたことを特徴とするパソコン用マウスカバーを供する。。【００１７】  前記、ゴムや合成樹脂などによる否浸透性の柔軟性薄膜で構成された袋体の一定部分を、前記マウス滑動用の滑動板と置き換えて境界部分を接合することや、当該柔軟性薄膜で構成された袋体の一定部分の厚みを増すことや、当該袋体の一定部分を熱処理又は化学的処理によってその柔軟の度合いを弱めるなど、マウスの滑動容易な素材に置き換えたを特徴とする請求項６に記載されたパソコン用マウスカバーを供する。【００１８】  前記袋体の内部に、前記袋体と前記袋体内のパソコン用マウスとを、一定の間隔を保って配すための間隔保持材を配したことを特徴とするパソコン用マウスカバーを供する。【００１９】  前記袋体の全体、又は前記袋状体の開口部付近を多重にし、複数回の開口作業によって、内部のパソコン用マウスを取り出し可能としたことを特徴とするパソコン用マウスカバーを供する。
【発明の効果】
【００２０】  ゴムや合成樹脂などによる否浸透性の柔軟性薄膜で構成された袋体であって、パソコン用マウスを出し入れするための開口部を有し、かつ、開口部の閉鎖手段を有するパソコン用マウスカバーであるため次の効果が得られる。【００２１】  レーザー光式や光線読み取り式のパソコン用マウスでは、袋体内部のパソコン用マウスを外から手で摘み、前後左右に動かすことでその位置情報からパソコン上のカーソルを移動させ、又、固定式のマウスに於いては操作用ボールを袋の外から回転させることでパソコン画面上のカーソルを移動させルことができるため、周囲の汚染から、パソコン用マウスを隔離することができる。【００２２】  前記、閉鎖手段が、前記袋体のマウス収納部と前記袋体の開口部との間を引き延ばして首部を形成し、当該首部を、結びこぶを作って閉鎖できるだけの長さとしたことを特徴とするパソコン用マウスカバーであるため次の効果が得られる。【００２３】  首部を設けて結びこぶを作ることで外界から遮断するため、極めて簡単な構成で開口部閉鎖の機能を得ることができる。使用後は洗浄や消毒の後に、袋体を結びこぶの内側で切断するなどすれば、確実にパソコン用マウスの汚染を防ぐことができる。【００２４】  前記、閉鎖手段が、前記袋体の前記開口部付近の袋体内面に粘着物を配することで、前記パソコン用マウスを前記袋体の収納部に装着後、前記袋体の開口部付近を扁平に延ばして対向する前記袋体の開口部付近の袋体内面どうしを接着可能としたものであることを特徴とするパソコン用マウスカバーであるため次の効果が得られる。【００２５】  袋体の開口部付近を折り返し、粘着物としては両面接着テープを貼り付けるというような簡便な方法で開口部の閉鎖が可能となり、パソコン用マウスを外部から隔離することが可能となる。粘着物の複数を階層的に配すことで隔離の効果は高まる。【００２６】  前記、閉鎖手段が、前記袋体の前記開口部に、密閉性のファスナーを設けたことを特徴とするパソコン用マウスカバーであるため次の効果が得られる。【００２７】  パソコン用マウスの出し入れが容易になって、パソコン操作の効率が高まる。【００２８】  前記袋体の全面、又は前記袋体の一定部分を構成する柔軟性薄膜が、当該袋体の内側あるいは外側に向かって小袋状に突出するか、蛇腹式の折り目を有することで当該袋体にたわみ部を形成したことを特徴とするパソコン用マウスカバーであるため次の効果が得られる。【００２９】  袋体に小袋状の凹凸によって袋体にたわみを設けると袋体の変形がし易くなる。また、小袋状の部分にゆとりがあるため、引き延ばしが容易となって、袋体内部のパソコン用マウスを前後左右に動かしやすくなる。また、固定式のパソコン用マウスにあっては、操作用のボールを回転させ易くなる。蛇腹式の折り目も同様である。【００３０】  前記袋体内部の下部に板状体を配してマウス滑動用の滑動板とし、当該袋体内部に配した前記パソコン用マウスを、前記滑動板上を前後左右に滑動できるようにしたことを特徴とするパソコン用マウスカバーであるため次の効果が得られる。【００３１】  ゴム状の袋体内にパソコン用マウスを装着して、パソコン表示画面のカーソルを動かそうとすると、パソコン用マウスがゴム状の袋体に接触して抵抗を受けるため、スムーズな操作ができない。袋体内部下部にパソコン用マウスの滑動板を配すことにより、パソコン用マウスは当該滑動板上をスムースに滑動して、パソコンの操作を容易にする。【００３２】  前記、ゴムや合成樹脂などによる否浸透性の柔軟性薄膜で構成された袋体の一定部分を、前記マウス滑動用の滑動板と置き換えて境界部分を接合することや、当該柔軟性薄膜で構成された袋体の一定部分の厚みを増すことや、当該袋体の一定部分を熱処理又は化学的処理によってその柔軟の度合いを弱めるなど、マウスの滑動容易な素材に置き換えたを特徴とするパソコン用マウスカバーであるため次の効果が得られる。【００３３】  前記袋体の中に前記滑りの良い板体を配する代わりにマウスの活動面である前記袋の一部を硬化させることや、一部を厚くすることや、材質を入れ替えるなどすることによって、前述の袋体に滑動板を装着した状態とと同様の効果が得られる。前記袋体の一部を厚くする場合には、その内部が摩擦抵抗の少ない素材であることが望ましい。【００３４】  前記袋体の内部に、前記袋体と前記袋体内のパソコン用マウスとを、一定の間隔を保って配すための間隔保持材を配したことを特徴とするパソコン用マウスカバーであるため次の効果が得られる。【００３５】  前記パソコン用マウスの操作中に、前記袋体とパソコン用マウスとが接触することを防げ、スムースに操作できるようになるとともに、前記袋体がクリックボタンを押さえ込むことによる誤作動を防ぐことができる。【００３６】  前記袋体の全体、又は前記袋状体の開口部付近を多重にし、複数回の開口作業によって、内部のパソコン用マウスを取り出し可能としたことを特徴とするパソコン用マウスカバーであるため次の効果が得られる。【００３７】  感染症の治療に際して使用したような場合、パソコン用マウスを入れた袋体の汚染は完全に除去する必要があるが、開口部付近に凹凸やひだ状の変形があると、隙間に入り込んだ汚染のため、完全に汚染を除去することが難しい。一枚の袋体の場合には当該袋体を取り払う作業によって汚れが作業する手に移り、汚染を拡散する可能性がある。当該袋体を複数枚重ねることや開口部付近ののみを複数枚重ね合わせた構成とすることで、洗浄、消毒の後、外側の袋体又は外側の部位を取り去った後に、内部の袋体又は袋体の内側の部位に対しを再度同じ作業を繰り返すことで、細菌等の除去は完全なものになり得る。
【図面の簡単な説明】
【００３８】
【図１】  本願発明の実施例１を示すパソコン用マウスカバーの斜視図である。
【図２】  本願発明の実施例２を示すパソコン用マウスカバーの斜視図である。
【図３】  本願発明の実施例３を示すパソコン用マウスカバーの斜視図である。
【図４】  本願発明の実施例４を示すパソコン用マウスカバーの斜視図である。
【図５】  本願発明の実施例５を示すパソコン用マウスカバーの斜視図である。
【図６】  本願発明の実施例５におけるパソコン用マウスカバーの中央付近を開口部と平行する面で切断した断面図である。
【図７】  本願発明の実施例６を示すパソコン用マウスカバーの斜視図である。
【図８】  本願発明の実施例７における一部断面を含む斜視図である。
【図９】  本願発明の実施例８を示すパソコン用マウスカバーの斜視図である。
【図１０】  本願発明の実施例９を示すパソコン用マウスカバーの斜視図である。
【発明を実施するための形態】
【００３９】  以下、本発明の実施の形態を図１〜図１０に基づいて説明する。
【実施例１】
【００４０】  図１は本願発明の実施例１を示すパソコン用マウスカバーの斜視図である。袋体１本体は柔軟な薄膜素材、例えば合成ゴムの薄膜などで造られ、図に示すように、袋体１本体はマウス２を収納する収納部１１（１）とマウスを収納部１１（１）に挿入するための開口部１２（１）と、当該開口部１２（１）と前記収納部１１（１）をつなぐ首部１３（１）より構成される。収納部１１（１）にはマウス２が装着され、袋体１の下部１４（１）にはマウス２が滑動する滑動部４としての滑動板４１（４）が配されている。ここで言う、袋体１の下部１４（１）とはマウス２を使用する際の下部であって、袋体１の特定の部位を指すものではない。【００４１】  首部１３（１）を閉鎖して収納部１１（１）と外界との隔離をするため、本実施例では閉鎖手段３としての圧着具３１（３）で首部１３（１）を圧着し閉鎖してある。袋体の端１５（１）は  周囲よりも若干厚めに創られ、開口部１２（１）を形成する。このことによって、開口部１２からマウス２を入れる際に操作がし易くなる。前記収納部１１（１）と開口部１２（１）は、相対的な空間的位置関係を示すものであるが、開口部１２は袋体の端１５（１）に囲まれた空間であり、収納部１１（１）は袋体１である柔軟な薄膜素材に囲まれた空間である。袋体１本体と滑動版４１（４）はマウス２の操作中にその位置関係が変わらないことが重要であって、前記２者は接合することも可能であるが、袋体１本体がゴムのように摩擦抵抗の強い素材の場合には、単に滑動版４１（４）を袋体１本体内部に配するだけで使用可能となる。
【実施例２】
【００４２】  図２は本願発明の実施例２を示すパソコン用マウスカバーの斜視図である。本実施例では首部１３（１）を引き延ばした構成とし、結びこぶ３２（３）を形成して首部１３（１）の内面どうしを圧着して閉鎖し、収納部１１（１）と外界とを隔離している。実施例１との相違点は、首部１３（１）が延長され、結んで結びこぶ３２（３）を形成可能にした点と図１における圧着具３１（３）を省略した点にある。使用に当たっては、開口部１２（１）よりマウス２を挿入して装着し首部１３（１）を結んで結びこぶ３２（３）を形成する。、使用後は袋体１を結びこぶ３２（３）の内側、収納部１１寄りを切断することで開口する。
【実施例３】
【００４３】  図３は本願発明の実施例３を示すパソコン用マウスカバーの斜視図であって、袋体１の開口部付近である首部１３（１）の内面に粘着物３３（３）として両面粘着テープ３３１（３）を配した例である。パソコン用マウス２を袋体１の収納部１１（１）に挿入後、前記袋体１の両面粘着テープ３３１（３）の付いた部分を扁平に延ばし、対向する首部１３の内面どうしを接着可能としたものである。剥離紙３３２をはがして両面粘着テープ３３１どうしを接着するが、当該接着により、袋体１の外の汚染物質が袋体１内部に侵入することを防止する。本図では粘着物３３（３）として両面粘着テープ３３１を複数列に配してあるが、多段的に複数列配することで、想定外に汚染物質が袋体１内部に向かって侵入した際、第１の両面粘着テープ３３１１が形成する接着面を通過されても、第２の両面粘着テープ３３１２が形成する接着面で汚染の侵入が阻止できる。
【実施例４】
【００４４】  図４は、本願発明の実施例４を示すパソコン用マウスカバーの斜視図であって、袋体１の開口部１２（１）直近に密閉性ファスナー３４を配した例である。首部１３（１）の端を扁平に引き延ばし、首部１３の端にレール状突起物３４１を配することで開口部１２を閉鎖する。引き延ばされて二つ折りの平面となった、片側に第一のレール状突起物３４１１を少なくとも２本を配し、反対側に第二のレール状突起物３４１２を少なくとも１本配する。両者を圧着することで、第一のレール状突起物３４１１が第二のレール状突起物３４１２を挟み込んで袋体１の開口部１２を閉鎖する。上下それぞれのレール状突起物３４１の本数を増やすことや、実施例３と同様に多段的にレール状突起物３４１を配することで閉鎖はより確実となる。本実施例では開口部１２を上下に押し広げれば、開口部１２の閉鎖は解かれ、マウスの取り出しが可能となるが、首部１３を切断して廃棄することによって、より確実な汚染防止が図られる。本図では袋体１にたわみ部１６としての蛇腹式の折り目１６１を形成し、内部のマウスの移動を容易にしている。
【実施例５】
【００４５】  図５は本願発明の実施例５を示すパソコン用マウスカバーの斜視図であって、袋体１にたわみ部１６としての小袋状の凹部１６２と、蛇腹式の折り目１６１を形成した例である。袋体１にたわみが形成されることから袋体１の変形に対してのゆとりが生じ、袋の変形が容易となって、内部のマウスの操作性が高まる。【００４６】  図６は図５における袋体１の中央付近を開口部と平行する面で切断した断面図であって、蛇腹式の折り目１６１と小袋状の凹部１６２の構成を説明したものである。内部のマウス２は固定式であって、操作用のボール２１（２）を袋体１の上から押さえて回転させることで、パソコンの操作を行う。マウスの手動スイッチであるクリックボタン２２の操作に当たっては小袋状の凹部１６２が延びることで操作を容易にする。この図に於いては蛇腹式の折り目１６１だけでも有効であるが、滑動部４を広くとり、マウス２を移動して位置情報を読み取る方式では小袋状の凹部１６２が延びることで、マウスの移動を容易にする。
【実施例６】
【００４７】  図７は実施例６を示すパソコン用マウスカバーの斜視図であって、袋体１内部に滑動板４１を配した例である。使用に当たっては、袋体１本体の外から内部のマウス２をつまんで、滑動板４１（４）上を滑動させて、パソコンの操作を行う。滑動版４１（４）はマウス２がこの上を滑り動くことを容易にするためのものであって、硬質かつ滑らかなことが望ましいが、マウス２が当該滑動板４１（４）の上をスムーズに滑動できるのであれば必ずしも硬質であることを要しない。マウス２は滑動板４１上を滑動することで電気信号を発し、パソコンの操作を可能にする。
【実施例７】
【００４８】  図８は図７における滑動板４１を廃し、代わりに袋体１の下部１４（１）の厚みを増すか、別の素材と入れ替えた実施例７を示すものであって、滑動板４１を配したものと同様の効果を得る。本実施例における袋体１本体が、ゴムのような摩擦力の大きいものである塲合にはマウスの滑動時における摩擦抵抗を弱める工夫、すなわち、マウス２に滑り車を設けることや、袋体１本体内部に摩擦力の小さな物質を塗装又は蒸着することなどによってマウス２が滑動しやすくすることが望ましい。
【実施例８】
【００４９】  図９は、実施例８を示すパソコン用マウスカバーの斜視図であって、袋体１内部に当該袋体１とマウスとの接触を防ぐための間隔保持材５を配したものである。当該間隔保持材５は袋体１を押し上げて、マウスとの接触を拒むものであれば、形状は問わない。本実施例における間隔保持材５ではマウスの側面に壁状の柱５１を形成し、袋体１の上部１７（１）がマウスに接触することを防ぐ。間隔保持材５が壁状の柱５１である場合には切り欠き部５１１（５１）を形成することで、固定式マウスの操作用ボールを操作し易くできる。
【実施例９】
【００５０】  図１０は実施例９を示すパソコン用マウスカバーの斜視図であって、首部１３（１）から袋体の端１５（１）にかけて袋体１を二重にし、第１の首部１３１と第２の首部１３２を形成した例である。マウスの取り出しに当たって第１の首部１３１と第２の首部１３２を順に切断するなど、開口の作業を段階的に行うことで、汚染の除去をより確実なものにすることができる。本図では首部１３のみを２重にしているが、袋体１全体を２重にしても同様の効果が得られる。
【産業上の利用可能性】
【００５１】  パソコンを汚染された環境で使わざるを得ないという場面は少なくない。本願発明は激しい汚染下でのマウスの使用を可能にするものであるため、パソコンの活動域は広がって産業の各場面、とりわけ研究分野での活用が期待される。
【符号の説明】
【００５２】      １  袋体
１１  収納部
１２  開口部
１３  首部
１３１  第１の首部
１３２  第２の首部
１４  袋体の下部
１５  袋体の端
１６  たわみ部
１６１  蛇腹式の折り目
１６２  小袋状の凹部
１７  袋体の上部
２  マウス
２１  操作用のボール
２２  クリックボタン
３  閉鎖手段
３１  圧着具
３２  結びこぶ
３３  粘着物
３３１  両面粘着テープ
３３１１  第１の両面粘着テープ
３３１２  第２の両面粘着テープ
３３２  剥離紙
３４  密閉性ファスナー
３４１  レール状突起物
３４１１  第一のレール状突起物
３４１２  第二のレール状突起物
４  滑動部
４１  滑動板
５  間隔保持材
５１  壁状の柱
５１１  切り欠き部
【図１】
2016224891.tif 000003
【図２】
2016224891.tif 000004
【図３】
2016224891.tif 000005
【図４】
2016224891.tif 000006
【図５】
2016224891.tif 000007
【図６】
2016224891.tif 000008
【図７】
2016224891.tif 000009
【図８】
2016224891.tif 000010
【図９】
2016224891.tif 000011
【図１０】
2016224891.tif 000012